(57)【要約】      （修正有）【課題】従来品よりも簡単な構造で操作がし易く、且つ安価に製造できるようにした通風・採光式シャッタを提供する。【解決手段】枠体（図略）に対してシャッタ本体２を上下部回転部材を介して横方向に移動可能に装着する。シャッタ本体２は、主開閉部２１と、この主開閉部２１に連結框１２を介して連結した副開閉部２２とから構成する。主開閉部２１はリブを有する中空の複数の板材６と、その上下端に組み付けた連結杆とから形成する。平面から見て長連結杆７２の中央部は板材の中央部に回動可能に取り付け、上端部は隣接する左側の板材の上端部に、下端部は上部回転部材（図略）と共に右側の板材の下端部にそれぞれ回動可能に取り付ける。最左端の板材には短連結杆７３を取り付け、上下端部には根留め金具を取り付ける。副開閉部２２もほぼ同様に構成するが、上部回転部材は一直線状に揃えるため板材６Ａの中央部にそれぞれ取り付ける。【選択図】    図１３
2007039979.tif 000002
【特許請求の範囲】
【請求項１】
複数の板材の上下端部に連結部材がそれぞれ取り付けられて開閉自在に一体化されたシャッタ本体を備え、このシャッタ本体の上下部に回転部材がそれぞれ取り付けられ、シャッタ本体を立て付ける枠体は、その上部枠にガイドレールを設けて前記上部回転部材が移動できるようにシャッタ本体を吊支し、下部枠にスリットを設けて前記下部回転部材が移動できるようにシャッタ本体を支持し、前記連結部材を介してシャッタ本体を横方向に移動させて開閉できるように構成した通風・採光式シャッタであって、前記シャッタ本体は、主開閉部とこの主開閉部に連結された副開閉部を備え、前記主開閉部の側端部は根留め金具を介して前記枠体の一方の端部に取り付けられ、前記副開閉部の側端部には框が取り付けられ、この框が前記枠体の他方の端部に主ロック手段を介して施錠／解錠可能に形成され、更に前記副開閉部が前記框に対して副ロック手段を介して施錠／解錠可能に形成されたことを特徴とする通風・採光式シャッタ。
【請求項２】
前記主開閉部は、所定の幅及び所定の長さを有する複数の板材から形成され、副開閉部は前記主開閉部の板材より小幅で当該板材と同じ長さを有する複数の板材から形成されていることを特徴とする請求項１に記載の通風・採光式シャッタ。
【請求項３】
前記連結部材は、板材同士を開閉自在に連結するための複数の連結杆から構成されていることを特徴とする請求項１又は請求項２に記載の通風・採光式シャッタ。
【請求項４】
前記主開閉部及び副開閉部の複数の板材は、いずれもアルミニウム材で押し出し成形により一体に形成され、内部にリブで仕切られた空間部を有することを特徴とする請求項１ないし請求項３のいずれかに記載の通風・採光式シャッタ。
【請求項５】
前記主開閉部の板材は、一方の表面要所に凸部が設けられ、この凸部に対応する他方の表面個所に凹部が設けられていることを特徴とする請求項４に記載の通風・採光式シャッタ。
【請求項６】
前記副開閉部の板材は、両面に凹凸部が設けられ、シャッタ本体を全閉して副開閉部が折り畳まれた状態では、隣接する板材同士の凹凸部が互いに嵌合することを特徴とする請求項４に記載の通風・採光式シャッタ。
【請求項７】
前記主開閉部の側端部に介在させる根留め金具に係合棒を突出させて設け、シャッタ本体を閉じた時には前記係合棒に主開閉部の側端部の板材が係合し、シャッタ本体を開いた時にはその係合が解除されるように構成したことを特徴とする請求項１ないし請求項６のいずれかに記載の通風・採光式シャッタ。
【請求項８】
前記シャッタ本体の上部回転部材は、支持材に水平軸を介して回転可能に取り付けられたローラから構成され、前記複数の板材に対して前記ローラが交互に相反位置となるように前記支持材を板材にそれぞれ取り付け、前記上部枠のガイドレールは、前記支持材を摺動させるスリットを挟んで平行に２列設けられ、この２列のガイドレールに対して前記ローラが交互に２列に係合してそれぞれ移動するように構成されていることを特徴とする請求項１ないし請求項７のいずれかに記載の通風・採光式シャッタ。
【請求項９】
前記シャッタ本体を立て付ける枠体は、上部枠と下部枠と側部枠とから構成され、前記上部枠及び下部枠は建物の外壁にビス止めする取付部が上下に設けられ、上部枠の上取付部及び下部枠の下取付部は断面略コ字形に形成し、ビス止めしたビスが外部に露出しないように隠蔽材をそれぞれ嵌着することを特徴とする請求項１ないし請求項８のいずれかに記載の通風・採光式シャッタ。
【請求項１０】
前記枠体の側部枠は、建物の外壁にビス止めする取付部が後面に設けられると共に、この取付部のビスに対応する工具挿通用孔が前面に設けられ、ビス止めしたビスが外部から見えないように前記工具挿通用孔に隠蔽材を嵌着し、且つ前記シャッタ本体を閉じた時に前記主開閉部の側端部の板材によってビス止めしたビスと工具挿通用孔との間が遮断されることを特徴とする請求項９に記載の通風・採光式シャッタ。
【請求項１１】
請求項１ないし請求項１０のいずれかに記載のシャッタ本体と、このシャッタ本体の副開閉部と対向するように形成した追加副開閉部とを備え、この追加副開閉部の端部には框がそれぞれ取り付けられ、一方の框は前記枠体の端部に取り付けられると共に、他方の框は前記主ロック手段に係合するロック受け具が設けられ、この主ロック手段とロック受け具により前記シャッタ本体の副開閉部と前記追加副開閉部とが施錠／解錠可能に形成され、且つ追加副開閉部に副ロック手段が施錠／解錠可能に形成されたことを特徴とする通風・採光式シャッタ。
【請求項１２】
請求項１ないし請求項１０のいずれかに記載のシャッタ本体と、このシャッタ本体に対して前記副開閉部が対向するように形成したシャッタ本体を左右に備え、一方のシャッタ本体における副開閉部の端部框に設けられた主ロック手段に係合するロック受け具が他方のシャッタ本体における副開閉部の端部框に設けられ、この主ロック手段とロック受け具により双方の副開閉部を施錠／解錠可能に形成することで両開きに構成したことを特徴とする通風・採光式シャッタ。
【請求項１３】
前記枠体と同じ材質で形成された下地枠体を建物の外壁に取り付け、この下地枠体に対して前記枠体を取り付けることを特徴とする請求項１ないし請求項１２のいずれかに記載の通風・採光式シャッタ。
【発明の詳細な説明】
【技術分野】
【０００１】
本発明は、全閉して主、副ロック手段を双方施錠すると、シャッタ全面が閉塞して風雨遮蔽機能及び防犯機能を発揮し、主ロック手段は施錠したまま副ロック手段のみを解錠して所定範囲内でスライドさせると、シャッタ全面に渡ってある程度隙間が生じて通風・採光が可能となり、主ロック手段を解錠して最大限にスライドさせると折り畳んだ状態でシャッタを全開できるようにした通風・採光式シャッタに関する。
【背景技術】
【０００２】
従来のシャッタは、巻き取り式になっていてシャッタを下せば閉じ、シャッタを上げれば開く構造のものが一般的である。シャッタは通常、ビルディングの出入口や車庫等に取り付けて使用されているが、一般住宅において雨戸代わりに取り付ける例が増加している。
【０００３】
特に、一般住宅において雨戸代わりにシャッタが取り付けられた場合は、シャッタを全閉すると外界から遮断されるため、風雨遮蔽機能及び防犯機能を充分に発揮するけれども、通風及び採光が不可能となる。シャッタを全閉しないで下部を少し開けておけば、通風及び採光はある程度可能となるが、このような半開きの状態ではロックできないため防犯機能が著しく失われ、夜間就寝時等においては不都合である。このため、シャッタを全閉して防犯機能を保持した上で、ある程度隙間が開くようにして通風及び採光を可能としたシャッタが要望されていた。このような要望に応えるべく開発されたブラインド式雨戸が従来知られている（例えば、特許文献１）。
【０００４】
上記ブラインド式雨戸を概説すると、所定の幅及び長さを有する複数の金属板材の上下端にＸ字形に組まれた伸縮部材がそれぞれ取り付けられて雨戸本体が形成され、この雨戸本体の上下端にローラ等の回転部材を取り付け、雨戸本体を立て付ける枠体は、その上部枠にガイドレールを設けて上端の回転部材が移動できるように雨戸本体を吊支し、下部枠にスリットを設けて下端の回転部材が移動できるように雨戸本体を受止し、上下端のＸ字形伸縮部材を介して雨戸本体を左右方向に移動させることで開閉できるように構成したものである。そして、雨戸本体を全閉した時には、各金属板材がほぼ一直線状となり、且つ隣接する金属板材の端部同士が当接して雨戸本体を全面的に閉塞することで風雨遮蔽機能が得られ、且つ枠体の要所には施錠手段が設けられて雨戸本体を施錠することで防犯機能が得られるようにしてある。
【０００５】
上記ブラインド式雨戸においては、枠体内に装着された左右の雨戸本体の対向端部には框部材がそれぞれ取り付けられており、左右の雨戸本体を閉じた時には双方の框部材が当接し、この双方の框部材を連結して施錠するための施錠手段が内側に設けられている。双方の框部材を施錠した後、一方の框部側におけるＸ字形伸縮部材の一方の端軸部を取り外すと、框部材に対して伸縮部材の端部が一定の距離だけスライドするため一方の雨戸本体のみを半開きにして他方の雨戸本体は閉じた状態とし、或は双方の框部側におけるＸ字形伸縮部材の一方の端軸部をそれぞれ取り外すと、双方の框部材に対してＸ字形伸縮部材の端部がそれぞれ一定の距離だけスライドするため双方の雨戸本体をそれぞれ半開き状態にすることができる。これにより、一方の雨戸本体又は双方の雨戸本体の金属板材間に隙間が生じて通風及び採光が可能となる。
【０００６】
又、特許文献２には、全閉後に施錠したままの状態でブラインドを構成する羽根板を所定の角度で開くことができ、即ち双方のブラインド本体の羽根板を共に閉じたり、開いたりすることができ、或は必要に応じて一方のブラインド本体の羽根板を閉じ、他方のブラインド本体の羽根板を開いた状態にすることもできる両開きシャッタ兼用ブラインドが開示されている。
【特許文献１】特開２０００−２０６０号公報
【特許文献２】実公昭５８−３８１５６号公報
【発明の開示】
【発明が解決しようとする課題】
【０００７】
上記特許文献１に記載のブラインド式雨戸によれば、雨戸本体を全閉施錠した状態である程度隙間が開くようにして通風及び採光を可能としたものであるが、前記のように隙間を開けるためには、施錠後にＸ字形伸縮部材の一方の端軸部を取り外さなければならない。このＸ字形伸縮部材は、雨戸本体の上端に位置し、しかも雨戸本体と上部枠との間の僅かな隙間に位置しているため、Ｘ字形伸縮部材の一方の端軸部を外すことは容易でない。又、外した端軸部を元通りに嵌めることも容易ではないという問題がある。一方、上記特許文献２に記載の両開きシャッタ兼用ブラインドによれば、ブラインドを閉じて施錠した状態で羽根板を所定の角度で開き、通風及び採光を可能としたものであるが、これを実現するために施錠手段とは別にカンヌキと突起とを備えたスライド自在パネルを構成しなければならず、構造が複雑になって製造し難くなり、且つ安価に製造できないという問題がある。
【０００８】
本発明は、このような従来技術が抱えている問題を解決するためになされたもので、Ｘ字形の伸縮部材を用いない構成を採用し、シャッタを全閉施錠した状態で通風及び採光のため簡単に隙間をあけることができ、又施錠手段とは別にカンヌキと突起とを備えたスライド自在パネルの構成を採用することなく、従来よりも簡単な構造で操作し易く、且つ安価に製造できるようにした通風・採光式シャッタを提供することを目的とする。
【課題を解決するための手段】
【０００９】
上記の目的を達成するための手段として、本発明の請求項１は、複数の板材の上下端部に連結部材がそれぞれ取り付けられて開閉自在に一体化されたシャッタ本体を備え、このシャッタ本体の上下部に回転部材がそれぞれ取り付けられ、シャッタ本体を立て付ける枠体は、その上部枠にガイドレールを設けて前記上部回転部材が移動できるようにシャッタ本体を吊支し、下部枠にスリットを設けて前記下部回転部材が移動できるようにシャッタ本体を支持し、前記連結部材を介してシャッタ本体を横方向に移動させて開閉できるように構成した通風・採光式シャッタであって、前記シャッタ本体は、主開閉部とこの主開閉部に連結された副開閉部を備え、前記主開閉部の側端部は根留め金具を介して前記枠体の一方の端部に取り付けられ、前記副開閉部の側端部には框が取り付けられ、この框が前記枠体の他方の端部に主ロック手段を介して施錠／解錠可能に形成され、更に前記副開閉部が前記框に対して副ロック手段を介して施錠／解錠可能に形成されたことを特徴とする。
【００１０】
本発明の請求項２は、請求項１に記載の通風・採光式シャッタにおいて、前記主開閉部は、所定の幅及び所定の長さを有する複数の板材から形成され、副開閉部は前記主開閉部の金属板材より小幅で当該板材と同じ長さを有する複数の板材から形成されていることを特徴とする。
【００１１】
本発明の請求項３は、請求項１又は請求項２に記載の通風・採光式シャッタにおいて、前記連結部材は、板材同士を開閉自在に連結するための複数の連結杆から構成されていることを特徴とする。
【００１２】
本発明の請求項４は、請求項１ないし請求項３のいずれかに記載の通風・採光式シャッタにおいて、前記主開閉部及び副開閉部の複数の板材は、いずれもアルミニウム材で押し出し成形により一体に形成され、内部にリブで仕切られた空間部を有することを特徴とする。
【００１３】
本発明の請求項５は、請求項４に記載の通風・採光式シャッタにおいて、前記アルミニウム材で押し出し成形により一体に形成された板材は、一方の表面要所に凸部が設けられ、この凸部に対応する他方の表面個所に凹部が設けられていることを特徴とする。
【００１４】
本発明の請求項６は、請求項４に記載の通風・採光式シャッタにおいて、前記副開閉部の板材は、両面に凹凸部が設けられ、シャッタ本体を全閉して副開閉部が折り畳まれた状態では、隣接する板材同士の凹凸部が互いに嵌合することを特徴とする。
【００１５】
本発明の請求項７は、請求項１ないし請求項６のいずれかに記載の通風・採光式シャッタにおいて、前記主開閉部の側端部に介在させる根留め金具に係合棒を突出させて設け、シャッタ本体を閉じた時には前記係合棒に主開閉部の側端部の板材が係合し、シャッタ本体を開いた時にはその係合が解除されるように構成したことを特徴とする。
【００１６】
本発明の請求項８は、請求項１ないし請求項７のいずれかに記載の通風・採光式シャッタにおいて、前記シャッタ本体の上部回転部材は、支持材に水平軸を介して回転可能に取り付けられたローラから構成され、前記複数の板材に対して前記ローラが交互に相反位置となるように前記支持材を板材にそれぞれ取り付け、前記上部枠のガイドレールは、前記支持材を摺動させるスリットを挟んで平行に２列設けられ、この２列のガイドレールに対して前記ローラが交互に２列に係合してそれぞれ移動するように構成されていることを特徴とする。
【００１７】
本発明の請求項９は、請求項１ないし請求項８のいずれかに記載の通風・採光式シャッタにおいて、前記シャッタ本体を立て付ける枠体は、上部枠と下部枠と側部枠とから構成され、前記上部枠及び下部枠は建物の外壁にビス止めする取付部が上下に設けられ、上部枠の上取付部及び下部枠の下取付部は断面略コ字形に形成し、ビス止めしたビスが外部に露出しないように隠蔽材をそれぞれ嵌着することを特徴とする。
【００１８】
本発明の請求項１０は、請求項９に記載の通風・採光式シャッタにおいて、前記枠体の側部枠は、建物の外壁にビス止めする取付部が後面に設けられると共に、この取付部のビスに対応する工具挿通用孔が前面に設けられ、ビス止めしたビスが外部から見えないように前記工具挿通用孔に隠蔽材を嵌着し、且つ前記シャッタ本体を閉じた時に前記主開閉部の側端部の板材によってビス止めしたビスと工具挿通用孔との間が遮断されることを特徴とする。
【００１９】
本発明の請求項１１は、請求項１ないし請求項１０のいずれかに記載のシャッタ本体と、このシャッタ本体の副開閉部と対向するように形成した追加副開閉部とを備え、この追加副開閉部の端部には框がそれぞれに取り付けられ、一方の框は前記枠体の端部に取り付けられると共に、他方の框は前記主ロック手段に係合するロック受け具が設けられ、この主ロック手段とロック受け具により前記シャッタ本体の副開閉部と前記追加副開閉部とが施錠／解錠可能に形成され、且つ追加副開閉部に副ロック手段が施錠／解錠可能に形成された通風・採光式シャッタを特徴とする。
【００２０】
本発明の請求項１２は、請求項１ないし請求項１０のいずれかに記載のシャッタ本体と、このシャッタ本体に対して前記副開閉部が対向するように形成したシャッタ本体を左右に備え、一方のシャッタ本体における副開閉部の端部框に設けられた主ロック手段に係合するロック受け具が他方のシャッタ本体における副開閉部の端部框に設けられ、この主ロック手段とロック受け具により双方の副開閉部を施錠／解錠可能に形成することで両開きに構成した通風・採光式シャッタを特徴とする。
【００２１】
本発明の請求項１３は、請求項１ないし請求項１２のいずれかに記載の通風・採光式シャッタにおいて、前記枠体と同じ材質で形成された下地枠体を建物の外壁に取り付け、この下地枠体に対して前記枠体を取り付けることを特徴とする。
【発明の効果】
【００２２】
上記請求項１の発明によれば、シャッタ本体を全閉して主ロック手段及び副ロック手段を施錠すると、シャッタ本体は全面に渡って閉塞状態となるため風雨に対する遮断機能を発揮できると共に、主開閉部及び副開閉部が全くスライド不能となるため防犯機能を発揮することができる。この全閉施錠状態から副ロック手段のみを解錠すると、所定の範囲内でスライド可能となるため副開閉部及びこの副開閉部に連結している主開閉部を共にある程度開くことができる。この時、主ロック手段は施錠したままの状態であるからシャッタ本体を全開することはできない。これにより、シャッタ本体の主ロック手段を施錠した状態のまま、ほぼ全面に渡って通風及び採光が可能となる。又、主ロック手段を解錠すれば、シャッタ本体を全開することができ、主開閉部及び副開閉部を折り畳んだ状態にして開口部を広く開放することができる。従来のようにＸ字形伸縮部材が用いられていないので操作が容易であり、又施錠手段とは別にカンヌキと突起とを備えたスライド自在パネルを構成するものに比して、構造が簡単であって安価に製造することができる。
【００２３】
上記請求項２の発明によれば、シャッタ本体の副開閉部を主開閉部より小形に形成することにより、前記シャッタ本体の主ロック手段を施錠したまま、通風及び採光のため副開閉部をスライドさせる際に開き幅を所定の範囲内に規制することができる。これにより、主開閉部及び副開閉部の開き過ぎを阻止して防犯上役立てることができる。
【００２４】
上記請求項３の発明によれば、シャッタ本体の主開閉部及び副開閉部は、板材同士を開閉自在に連結する連結部材として複数の連結杆が用いられているため、従来のＸ字形伸縮部材を用いることなく容易に組み付けることができる。これにより、従来のＸ字形伸縮部材を別物品として製作する必要がなくなり、製造し易くなると共にコストの低減を図ることが可能となる。又、従来のようにＸ字形の伸縮部材の一方の端軸部を取り外し、後で嵌め戻すといった面倒で困難な作業を必要とすることなく、前記シャッタ本体の主ロック手段を施錠したまま、通風及び採光のため容易に隙間を開けることができる。
【００２５】
上記請求項４の発明によれば、主開閉部及び副開閉部の複数の板材は、いずれもアルミニウム材で押し出し成形により一体に形成され、内部にリブで仕切られた空間部を有するため、従来の単板状のものに比して遮音性、断熱性に優れ、且つ強度も強いシャッタを提供することができる。
【００２６】
上記請求項５の発明によれば、シャッタ本体を全開して主開閉部及び副開閉部が折り畳まれた時に、主開閉部の板材に設けた凸部により隣接する板材の表面同士が接触する面積を大幅に減少させ、これにより板材の表面にすり傷が生じないように保護することができる。又、凸部に対応させて設けた凹部により折り畳まれた時の板材表面への凸部の衝撃力を緩和させ、これにより凹み傷の発生を抑制することができる。この凹凸部はデザイン要素としての機能も発揮し、しかもデザインのためだけではなく板材表面の傷や色むらをぼかす効果が得られる。
【００２７】
上記請求項６の発明によれば、シャッタ本体を全閉して副開閉部が折り畳まれた状態では、隣接する板材同士の凹凸部が互いに嵌合するので、外部から隣接する板材間に薄い平板や細い棒等を差し込んで、前記副ロック手段１６を外そうとしても、凹凸部の嵌合により薄い平板や細い棒等の侵入が阻止されて外すことはできず、副ロック手段１６の防犯機能を高めることができる。
【００２８】
上記請求項７の発明によれば、前記主開閉部の側端部に介在させる根留め金具に係合棒を突出させて設け、シャッタ本体を閉じた時には前記係合棒に主開閉部の側端部の板材が係合し、シャッタ本体を開いた時にはその係合が解除されるように構成したので、シャッタ本体の全閉状態で外部からバール等によりこじ開けようとしても、板材と係合棒との係合によって容易に開けることはできず、しかもその係合部は側部枠内に位置しているため外部からは見えない。これにより、補助的なロック効果が得られる。
【００２９】
上記請求項８の発明によれば、シャッタ本体の上部回転部材は、支持材に水平軸を介して回転可能に取り付けられたローラから構成され、複数のローラを交互に位置を変えて２列となるように取り付け、上部枠に設けられた２列のガイドレールに対し交互に２列に振り分けて係合させたので、シャッタ本体を全開して主開閉部及び副開閉部の板材が折り畳まれた状態となった時に、上部回転部材の支持材同士は上部枠のスリット内で相互に接触するが、前記ローラは交互に位置しているため２列のガイドレール内で相互に接触することはない。これにより、従来のローラより直径の大きなローラを採用することができ、回転機能を向上させてシャッタ本体を軽くしかも円滑に移動させることができる。従来のものでは、一軸２車輪方式のローラが用いられており、シャッタ本体を全開して板材が折り畳まれた状態となった時に、２列のガイドレール内でローラが相互に接触するため、ローラの直径が規制されて径の大きなローラを採用できなかった。
【００３０】
上記請求項９及び請求項１０の発明によれば、シャッタ本体を立て付ける枠体は、上部枠と下部枠と側部枠とから構成され、これらはいずれも建物の外壁にビス止めして取り付けるが、ビス止めしたビスが外部に露出しないように隠蔽材をそれぞれ嵌着するので、外部からの侵入に対する防犯効果が大きい。側部枠の上下端部は上部枠及び下部枠の端部に側方からそれぞれビス止めし、これらのビスに関してはあえて隠蔽しないが、仮にこれらの止めビスが外部から外されたとしても、側部枠の後面取付部が外壁にビス止めされ、この止めビスは前面の工具挿通用孔に嵌着した隠蔽材により外部から見えないようにしてあるため防犯効果を奏する。更に、シャッタ本体を閉じた時には、主開閉部の端部の板材により工具挿通用孔と止めビスとの間が遮断されるため、仮に工具挿通用孔に嵌着した隠蔽材が外されたとしても、工具挿通用孔に差し込んだねじ回し(ドライバー)が板材に阻害されて止めビスまで届かず、これにより止めビスを外部から外すことはできない構造になっている。
【００３１】
上記請求項１１の発明によれば、シャッタ本体の副開閉部と追加副開閉部とが端部框を介して着脱可能に連結されているため、全閉状態においてシャッタ本体の副開閉部のみを開いた時と、これに加えて追加副開閉部を開いた時とでは通風・採光の度合いが相違する。これにより、季節や天候に応じて通風・採光量を自在に且つ広範囲に調節することができる。又、シャッタ本体の副開閉部と追加副開閉部との連結を外せば、シャッタ本体の副開閉部は主開閉部と共に枠体の一端側に折り畳んで位置させ、追加副開閉部は枠体の他端側に折り畳んで位置させることができる。これにより全開時には開口部の一端側に双方の副開閉部が集結することはなく、開口部の端部で邪魔になるのを避けることができる。
【００３２】
上記請求項１２の発明によれば、副開閉部を対向させた左右対称のシャッタ本体を備え、一方のシャッタ本体における副開閉部の端部框に設けた主ロック手段に係合するロック受け具を他方のシャッタ本体における副開閉部の端部框に設け、この主ロック手段とロック受け具により双方の副開閉部を施錠／解錠可能に形成したので、両開き形式の通風・採光式シャッタを容易に構成することができる。
【００３３】
上記請求項１３の発明によれば、建物に枠体を取り付ける際、外壁面よりアルミサッシュ、網戸等が突出しているような場合は、外壁に下地枠材を取り付け、この下地枠体に対して枠体を取り付けることで解決することができる。下地枠材は枠体と同じ材質で形成されているため、外観や体裁を損なうことなくシャッタを容易且つ確実に取り付けることが可能となる。
【発明を実施するための最良の形態】
【００３４】
（第１実施形態）
以下、本発明の実施形態を添付図面に基づいて説明する。図１は、本発明に係る通風・採光式シャッタの第１実施形態を示す概略縦断側面図である。図中、１は金属で形成された方形の枠体であり、この枠体１内にシャッタ本体２が横方向に移動可能に立て付けられている。枠体１は上部枠３と、下部枠４と、図４に示す側部枠５とから構成され、これらはいずれもアルミニウム材で押し出し成形により製作する。
【００３５】
上記上部枠３は、図２(ｂ)に示すような側面形状を有し、上部には建物の外壁にビス止めするための上取付部３１が断面略コの字形に設けられ、下部には下取付部３２が断面略Ｌ字形に設けられ、前方に突出した中央部には下向きに開口するスリット３３と、このスリット３３を挟んで両側に並設された２列のガイドレール３４が断面略凹溝形に設けられている。又、上取付部３１及び下取付部３２の鉛直部には、複数のビス孔３１ａ、３２ａが図２(ａ)のように長さ方向(横方向)に沿ってそれぞれ所定の間隔をあけて設けられている。更に、２列のガイドレール３４の外側に位置させて、側枠部５を組み付けるためのビス受け部３５が断面略Ｃ字形にそれぞれ設けられている。ビス受け部３５にはねじ溝が設けられていないが、ビスをねじ込むことで内面にねじ溝が形成されてビスを固定することができる。
【００３６】
上記下部枠４は、図３に示すような側面形状を有し、下部には建物の外壁にビス止めするための下取付部４１が断面略コの字形に設けられ、上部には上取付部４２が断面略Ｌ字形に設けられ、前方に突出した中央部には上向きに開口するスリット４３と、このスリット４３を挟んで両側に並設された２列のガイドレール４４が断面略凹溝形に設けられている。又、下取付部４１及び上取付部４２の鉛直部には、複数のビス孔４１ａ、４２ａが長さ方向(横方向)に沿ってそれぞれ所定の間隔をあけて設けられている。更に、２列のガイドレール４４の外側に位置させて、側枠部５を組み付けるための上記と同様のビス受け部４５が断面略Ｃ字形にそれぞれ設けられている。この下部枠４は前記上部枠３と上下対称の形状であるため兼用することが可能である。これにより、上部枠３と下部枠４とは別個に製作する必要がないため、コストの低減を図ることができる。
【００３７】
上記側部枠５は、図４(ｂ)に示すような平面形状を有し、後面側には建物の外壁にビス止めするための取付部５１が設けられ、この取付部５１には複数のＵ字形切欠孔５１ａが側部枠５の長さ方向(縦方向)に沿って所定の間隔をあけて設けられている。又、図４(ａ)に示すように、側面５２の上端部には前記上部枠３の側端部に取り付けるためのビス孔５２ａが前後に２つ設けられており、これらのビス孔５２ａは前記上部枠３のビス受け部３５にそれぞれ対応している。尚、図示は省略されているが、側面の下端部にも前記下部枠４の側端部に取り付けるためのビス孔が前後に２つ設けられており、これらのビス孔は前記下部枠４のビス受け部４５にそれぞれ対応している。側部枠５の前面側は断面略Ｌ字形に形成され、その前面５３には図４(ａ)及び(ｃ)に示すように前記取付部５１のＵ字形切欠孔５１ａに対応する工具挿通用孔５３ａが設けられている。更に、図４(ｃ)に示すように上端部の斜線部分を切り欠いて、前記枠体１を形成する際に側部枠５の上端部と上部枠３の端部とが密着できるようにしてある。図示は省略したが、下端部にも同様の切り欠きを設けて側部枠５の下端部と前記下部枠４とが密着できるようにする。尚、側部枠５の後面側角隅部には段部５４が高さ方向に沿って設けられている。
【００３８】
図５は、前記枠体１内にスライド可能に立て付けるシャッタ本体２を折り畳んだ状態で示す概略平面図である。このシャッタ本体２は、主開閉部２１とこの主開閉部２１に連結された副開閉部２２を備えている。主開閉部２１は複数の板材６と、これらの板材６を開閉自在に連結する連結部材である複数の連結杆７とから構成されている。板材６は金属板材、樹脂板材、パンチングメタル板材、木板材等その材質は特に限定されないが、本実施形態では、図６に示すようにアルミニウム材で押し出し成形により一体に形成され、内部に複数のリブ６１で仕切られた空間部６２を有し、両端部付近とほぼ中央部には断面略Ｃ字形のビス受け部６３が設けられ、一方の端部には断面略Ｃ字形のガスケット取付部６４が設けられている。ビス受け部６３にはねじ溝が設けられていないが、前記と同様にビスをねじ込むことで内面にねじ溝が形成されてビスを固定することができる。
【００３９】
上記板材６の表面要所には微細な凹凸部が設けられており、例えば図６の部分拡大図Ｐ、Ｑに示すようにリブ６１に対応する一方の表面に微細な凸部６５が長手方向に沿ってそれぞれ設けられ、リブ６１に対応する他方の表面には複数の微細な凹部６６が長手方向に沿ってそれぞれ設けられている。微細な凸部６５は主開閉部２１が図５のように折り畳まれた時に、隣接する板材６の表面同士が接触する面積を大幅に減少させて板材６の表面にすり傷が付かないように配慮したものである。複数の微細な凹部６６は折り畳まれた時の凸部６５の衝撃力を緩和して、凸部６５による凹み傷が極力生じないようにする。又、微細な凸部６５及び凹部６６は、縦縞模様としてデザイン要素の機能も発揮するが、単にデザイン上のためだけではなく板材表面の傷や色むらをぼかす役割を果たすものである。このため、微細な凹部６６はリブ６１に対応する部分のみならず、ほぼ中央のビス受け部６３に対応する部分及び端部のビス受け部６３や、ガスケット取付部６４の周辺部にも設けるようにすると好ましい。
【００４０】
上記連結杆７は、図７(ａ）に示すようにアルミニウム材等の金属板で所定の幅及び長さを有する平板状に形成され、両端部付近と中央部にビス挿通孔７１が設けられた長連結杆７２と、図７(ｂ）に示すようにアルミニウム材等の金属板で所定の幅及び長さを有する平板状に形成され、両端部付近ビス挿通孔７１が設けられた短連結杆７３とから構成されている。この短連結杆７３の幅は長連結杆７２と同じであるが、長さは長連結杆７２のほぼ１／２になっている。
【００４１】
前記副開閉部２２も基本的な構成は主開閉部２１と同様であり、複数の板材６Ａと、これらの板材６Ａを開閉自在に連結する連結部材である複数の連結杆７Ａとから構成されている。そして、板材６Ａは図示を省略したがアルミニウム材で押し出し成形により一体に形成され、内部にリブで仕切られた空間部を有し、両端部付近とほぼ中央部には断面略Ｃ字形のビス受け部が設けられている。又、連結杆７Ａも基本的な構成は連結杆７とほぼ同様であり、アルミニウム材等の金属板で所定の幅及び長さを有する平板状に形成され、両端部付近と中央部にビス挿通孔が設けられた長連結杆７２Ａと、アルミニウム材等の金属板で、所定の幅及び長さを有する平板状に形成され、両端部付近ビス挿通孔が設けられた短連結杆７３Ａとから構成されている。この短連結杆７３Ａの幅は長連結杆７２Ａと同じであるが、長さは長連結杆７２Ａのほぼ１／２程度になっている。又、副開閉部２２の板材６Ａの板厚は主開閉部２１の板材６とほぼ同じであるが、板幅はほぼ１／３程度になっている。
【００４２】
前記主開閉部２１を形成するには、図５のように複数の板材６を複数の連結杆７を用いて組み付ける。長連結杆７２は、その中央部のビス挿通孔７１にビス８を挿通し、このビス８を板材６の中央部のビス受け部６３にねじ込む。この時、図８に示すようにビス挿通孔７１より若干小さい外径を有すると共に、長連結杆７２の板厚より若干大きな高さを有するスリーブ９を介在させてビス８をビス受け部６３に締め付け固定する。これにより、長連結杆７２は、板材６に対して堅固に固定されずにスリーブ９を介して長連結杆７２と板材６とが相互に回動可能に取り付けられる。そして、長連結杆７２の上端部は、その上端部のビス挿通孔７１にビスを挿通し、このビスを図５で左側に隣接する板材６の上端部のビス受け部６３にスリーブ９を介してねじ込む。長連結杆７２の下端部は、図５で右側に隣接する板材の下端部にビスで取り付けられるが、この取り付けに際しては図９に示すように上部回転部材１０の取り付けを兼ねる。尚、主開閉部２１における板材６の枚数は限定されず、開口部の大きさによって適宜決定される。
【００４３】
上部回転部材１０は、直方体状の支持材１０１に水平軸１０２を介して取り付けられたベアリングローラ１０３から構成されており、支持材１０１には段付き孔１０１ａが上下方向に貫設されている。この場合、水平軸１０２としては支持材１０１の取付部１０１ｂに対してベアリングローラ１０３を螺着しているビス８Ｃであるが、これに限定されず例えば図示を省略したシャフトを用いることができ、シャフトを用いた場合にはベアリングローラ１０３に替えて円筒状のローラを用いることができる。又、ベアリングローラ１０３は、ほこり等の侵入を防ぐシールドタイプのものであって、被覆板１０４により被覆されている内部にはグリースが収容されている。これにより、ベアリングローラ１０３が常時円滑に回転し、且つ長期間の使用に耐え得るように配慮してある。
【００４４】
この上部回転部材１０と共に長連結杆７２の他方の端部を板材６の図５で下端部に取り付けるには、図９に示すように支持材１０１の段付き孔１０１ａの下端部にスリーブ９Ａを嵌合し、このスリーブ９Ａの突出下端部を長連結杆７２のビス挿通孔７１に挿通し、段付き孔１０１ａの上端部からビス８Ａをスリーブ９Ａ内に落とし込んで、板材６のビス受け部６３にねじ込む。これにより、長連結杆７２は、板材６に対して堅固に固定されずにスリーブ９Ａを介して長連結杆７２と板材６とが相互に回動可能に取り付けられる。そして、上部回転部材１０の支持材１０１もスリーブ９Ａを介して若干の上下動が可能であり、且つ支持材１０１と板材６とが相互に回動可能に取り付けられる。尚、上部回転部材１０は、複数の板材６に対して前記ベアリングローラ１０３が交互に相反位置となるように前記支持材１０１を板材６にそれぞれ取り付ける。前記上部枠３のガイドレール３４は、図２(ｂ)のように支持材１０１を摺動させるスリット３３を挟んで平行に２列設けられており、この２列のガイドレール３４に対してベアリングローラ１０３が交互に２列に振り分けられて係合し、それぞれガイドレール３４に沿って移動するように構成される(図１参照)。
【００４５】
上記主開閉部２１において、図５で左端部に位置する板材６は、その中央部と、隣接する右側の板材６の下端部との間に前記短連絡杆７３が取り付けられる。又、左端部の板材６には、その上下部に根留め金具１１が上下対称にそれぞれスリーブ９を介してビス８で固定される（図１１参照）。主開閉部２１における右端部の長連結杆７２は、下端部が内側框１２のビス受け部に前記スリーブ９Ａを介してビス８Ａで回転部材１０と共に取り付けられる。
【００４６】
上記根留め金具１１は、図１１に一部拡大斜視図Ｒで示すように底板１１１と、この底板１１１の一方の端部から垂直に立ち上がる側板１１２と、その側板１１２の上端から水平に張り出し且つ底板１１１と長さ方向が直角をなす上板１１３とが一体に連設されて成り、上板１１３の中央部には通孔１１３ａが設けられると共に、この通孔１１３ａを挟んで両側に取付孔１１３ｂがそれぞれ設けられ、底板１１１には通孔１１３ａに対応するねじ孔１１１ａと、シャッタ本体への取付孔１１１ｂとが設けられている。上部の根留め金具１１は、上記のように底板１１１の取付孔１１１ｂを利用し、スリーブ９を介してビス８で主開閉部２１における左端部の板材６に取り付けられる。そして、根留め金具１１の上板１１３の上方から係合棒１１４（図示の例ではねじ棒）を、通孔１１３ａに挿し込み底板１１１のねじ孔１１１ａにねじ込むことで、この係合棒１１４が底板１１１より下方に突出するように固定する。下部の根留め金具１１も同様に左端部の板材６に取り付けるが、上部の根留め金具とは上下対称であるため係合棒１１４は上方に突出した状態となる。尚、係合棒１１４としては、ねじ棒に替えて係合ピンを用いることができ、その場合にはねじ孔１１１ａを通孔に替え、この通孔及び通孔１１３ａに係合ピンを挿通して根留め金具１１に溶接する。
【００４７】
次に、副開閉部２２を形成するには、図５に示すように複数の板材６Ａを複数の連結杆７Ａを用いて組み付けるが、基本的には上記主開閉部２１の組み付け方法と同様である。
主開閉部２１の組み付けと大きく異なるのは前記上部回転部材１０を板材６Ａの中央部に取り付けることである。即ち、長連結杆７２Ａの中央部を上部回転部材１０と共に板材６Ａの中央部に取り付ける。その取り付け方は上記と同様にスリーブ９Ａを介してビス８Ａで行う。上部回転部材１０を板材６Ａの中央部に取り付けるのは、主開閉部２１に取り付けた上部回転部材１０と一直線状に位置するように揃えるためである。長連結杆７２Ａ及び短連結杆７３Ａの取付方法は上記主開閉部２１の長連結杆７２及び短連結杆７３と同様であるから詳しい説明は省略する。尚、副開閉部２２における左端部の板材６Ａは、その下端部に短連結杆７３Ａの下端部がスリーブ９を介してビス８で取り付けられ、この短連結杆７３Ａの上端部は連結框１２にスリーブ９Ａを介してビス８Ａで上部回転部材１０と共に取り付けられる。又、副開閉部２２の右端部の板材６Ａは、上端部に短連結杆７３Ａの上端部がスリーブ９を介してビス８で取り付けられ、この短連結杆７３Ａの下端部は端部框１３の左端部にスリーブ９Ａを介してビス８Ａで上部回転部材１０と共に取り付けられ、更に端部框１３の右端部にはスリーブ９Ａを介してビス８Ａで上部回転部材１０のみが取り付けられる。尚、副開閉部２２における板材６Ａの枚数は限定されず、大開口部の場合には採光・通風量を十分確保するために板材６Ａの枚数を増やし、小開口部の場合には板材６Ａの枚数を減らす等の設計変更が可能である。又、主開閉部２１における板材６の枚数との関係で、採光・通風量にバランスがとれるように副開閉部２２の板材６Ａの枚数を設定すると好ましい。
【００４８】
このようにして、主開閉部２１及び副開閉部２２の上端に連結部材である連結杆７及び連結杆７Ａがそれぞれ取り付けられ、且つ上部回転部材１０が一直線状に並ぶようにそれぞれ取り付けられるが、主開閉部２１及び副開閉部２２の下端にも同様に連結部材である連結杆７及び連結杆７Ａがそれぞれ取り付けられる。そして、上端と異なるのは形態の異なる下部回転部材１４が上部回転部材１０に替えて取り付けられることである。
【００４９】
下部回転部材１４は、図１０に示すように垂直軸１４１を介して取り付けられた円筒状のローラ１４２から構成されており、垂直軸１４１としてはビス８Ｂであるが図示を省略したシャフトであってもよい。この下部回転部材１４を連結杆７と共に板材６に取り付けるには、図１０に示すようにローラ１４２にスリーブ９Ｂを嵌合し、このスリーブ９Ｂの突出上端部を例えば長連結杆７２のビス挿通孔７１に挿通し、板材６のビス受け部６３にねじ込む。これにより、長連結杆７２は、板材６に対して堅固に固定されずにスリーブ９Ｂを介して長連結杆７２と板材６とが相互に回動可能に取り付けられる。そして、ローラ１４２はスリーブ９Ｂを介して回転可能となる。副開閉部２２において、下部回転部材１４を連結杆７Ａと共に板材６Ａに取り付ける場合も同様である。この下部回転部材１４は、前記上部回転部材１０と同様に一直線状に位置するようにそれぞれ取り付け、図１のように前記下部枠４のスリット４３に沿って移動できるように構成する。尚、前記連結框１２の左右端部及び端部框１３の左右端部にも、上部回転部材１０に対応させて下部回転部材１４がそれぞれ下端に取り付けられる。
【００５０】
このようにして、主開閉部２１と副開閉部２２とを連結框１２及び端部框１３を介して一体に結合することにより前記シャッタ本体２が構成される。このシャッタ本体２は予め一体に組み付けたユニットとして工場で量産することができる。従来のようにＸ字形の伸縮部材を別途形成することなく、連結杆７、７Ａを用いてシャッタ本体２を容易に形成できるので、従来に比して生産が容易となり且つコストの低減を図ることが可能となる。尚、図５に示すシャッタ本体２は、室内側から見て副開閉部２２が主開閉部２１の右側に連結されたものであるが、副開閉部２２を主開閉部２１の左側に連結したものも形成することができる。この左右の位置関係は、シャッタ本体２が左方開きか右方開きかによって決定される。
【００５１】
上記シャッタ本体２の副開閉部２２側には、主ロック手段１５及び副ロック手段１６が装着される。主ロック手段１５は、図５のように前記端部框１３に装着されており、例えば図１２に示すように室内側から操作するノブ１５１を例えば時計回りに回転させてロック位置にすると、ロック片１５２が飛び出して前記側枠部５に設けられたロック受け具（図略）に係止して施錠状態となり、ノブ１５１を反時計回りに回転させてアンロック位置にすると、ロック片１５２がロック受け具から外れて端部框１３に引っ込んで解錠状態となるようにしてある。これにより、シャッタ本体２を図１３(ｂ)のように全閉してから主ロック手段１５を施錠すると、シャッタ本体２を外部から開けることはできず、防犯機能を発揮させることができる。一方、全閉状態から主ロック手段１５を解錠すると、シャッタ本体を開くことができる。尚、図１２は図１３と対応しておらず、副開閉部が主開閉部の左側に連結されたものであるが、左右逆になっていても主ロック手段１５の機能は同一である。又、主ロック手段１５は上記構造のものに限定されない。
【００５２】
上記副ロック手段１６は、図１２に示すように前記連結框１２から端部框１３に横断してロックレバー１６１が装着されており、例えばロックレバー１６１の基端側は連結框１２にピン１６２を介して回動可能に取り付けられると共に、連結框１２に設けられた張出片１２１に上下方向に設けられたスリット孔１２１ａ、及びこれに対応させて端部框１３に設けられた張出片１３１に上下方向に設けられたスリット孔１３１ａを貫通し、ロックレバー１６１の先端側に設けられた切欠部１６１ａを張出片１３１に係止して施錠状態となり、ロックレバー１６１の先端部を図１２(ｂ)のように若干持ち上げて時計回りに若干回転させると切欠部１６１ａが張出片１３１から外れてアンロック位置となり、その状態のままロックレバー１６１を右方向に移動させて張出片１３１のスリット孔１３１ａから抜けば、副開閉部２２を一定の範囲内で開くことができる。これにより、主ロック手段１５は施錠したまま、副ロック手段１６のみを解錠すれば副開閉部２２を一定の範囲内で開くことができると共に、この副開閉部２２に連結している主開閉部２１も同時に一定の範囲内で開くことができる。即ち、シャッタ本体２は主ロック手段１５を施錠した状態のまま、図１３(ａ）のように通風及び採光のため簡単に隙間を開けることができるのである。尚、副ロック手段１６は、上記の構造のものに限定されない。
【００５３】
上記実施形態では、施錠手段が１つの主ロック手段１５と、１つの副ロック手段１６とにより構成されているものであるが、防犯効果を高めるためにこれ以外の補助ロック手段、例えば枠体１の上部枠３又は下部枠４に挿脱するフック棒、又はフランス錠もしくは側部枠５に掛ける打掛錠等を１つ又は２つ以上付け加えることが可能である。又、主ロック手段１５は室内側から施錠／解錠操作をするものであるが、これに限定されずにシリンダ錠とサムターンとを組み合わせて構成し、室内側からは内鍵操作を可能とし、室外側からは同一キーを使って外鍵操作ができるようにすれば、例えばガレージ、玄関、店舗等のシャッタとして好適なものとなる。
【００５４】
次に、シャッタ本体２を前記枠体１と共に、図１のように建物に取り付ける要領に付いて説明する。図１１はその取付要領を示す説明図であり、前記上部枠３と下部枠４及び一方の側部枠５（図示されず）を建物の外壁にそれぞれビスで固定することにより枠体１の三辺を形成する。施工現場の地上で予め枠体１の三辺を形成した後に、建物の外壁にビスで固定するようにしてもよい。上部枠３の取り付けは、前記上取付部３１の複数のビス孔３１ａ及び下取付部３２の複数のビス孔３２ａをそれぞれ利用してビス止めする。下部枠４の取り付けも同様に、前記下取付部４１のビス孔４１ａ及び上取付部４２のビス孔４２ａをそれぞれ利用してビス止めする。図示されていない一方の側枠部５の取り付けは、前記取付部５１のＵ字形切欠孔５１ａ及びこれに対応する前面５３の工具挿通用孔５３ａを利用して外壁にビス止めすると共に、上端部は前記側面５２のビス孔５２ａから上部枠３のビス受け部３５にビスをそれぞれねじ込んで固定し、下端部も同様に側面のビス孔から下部枠４のビス受け部４５にビスをそれぞれねじ込んで固定する。上部枠３及び下部枠４に対して上記一方の側部枠５を取り付けるに際し、側部枠５のＵ字形切欠孔５１ａにより外壁へのビス止め位置を定めた後に側部枠５を一旦外し、そのビス止め位置にビス８Ｇをある程度ねじ込んで仮止めし、この後側部枠５のＵ字形切欠孔５１ａに仮止めしたビス８Ｇを嵌め込むようにして側部枠５を再度組み付け、前面５３の工具挿通用孔５３ａからドライバーを差し込んでビス８Ｇを完全に締め付けることで側部枠５の後面を外壁に固定することができる。このようにして、先にビス８Ｇを外壁に仮止めしておけばドライバーによる側部枠５のビス止め作業が容易にでき、ドライバーの先端に嵌めたビス８Ｇが途中で落下するといった不手際を避けることができる。
【００５５】
又、上部枠３の上取付部３１においてビス止めしたビス８Ｄが外部に露出しないように断面略コ字形に形成されている上取付部３１に隠蔽材１７を嵌着する。隠蔽材１７は例えばアルミニウム材で押し出し成形により一体に形成され、帯状板１７１の背面側の上下に係止片１７２が長さ方向に沿って対設されており、これらの係止片１７２が断面略コ字形の上取付部３１の上下に設けられている突起に係止することで抜け出しを阻止している。下部枠４の下取付部４１においても同様に、ビス止めしたビス８Ｄが露出しないように断面略コ字形に形成されている下取付部４１に隠蔽材１７を嵌着する。
【００５６】
次いで、前記のように工場でユニットとして生産され、施工現場に持ち込まれたシャッタ本体２を、上記側部の一辺が開口している枠体１内に装着する。このシャッタ本体２の装着に際しては、前記主開閉部２１及び副開閉部２２が共に折り畳まれた状態のまま、端部框１３側から順に嵌めこみ、この時シャッタ本体２の上部回転部材１０は支持材１０１を上部枠４のスリット３３に挿入し、ベアリングローラ１０３が交互に２列のガイドレール３４に振り分けて係合するようにし、下部回転部材１４はローラ１４２が全て下部枠４のスリット４３に挿入するようにしてシャッタ本体２を完全に装着する。又、上部枠３及び下部枠４のみを所定の位置にビス止めして一方の側部枠５を取り付けない状態、即ち両側部とも開口した状態でシャッタ本体２を装着するようにしても良く、この場合はいずれか一方の開口を選択することができる。尚、シャッタ本体２は折り畳んだ状態において、主開閉部２１が室外側に突出するようにして枠体１に装着する（図１参照）。
【００５７】
シャッタ本体２の装着後、側端部に取り付けられている前記上部根留め金具１１を、上板１１３の取付孔１１３ｂを利用して上部枠３の端部に下からビス８Ｅで固定すると共に、下部根留め金具１１は下部枠４の端部に上からビス８Ｅで固定することにより、シャッタ本体２の一方の端部を固定する。
【００５８】
この後、残りの側部枠５を取り付けて枠体１を完全に形成するが、その取り付けは上記と同じく取付部５１のＵ字形切欠孔５１ａ及び工具挿通用孔５３ａをそれぞれ利用して外壁にビス止めすると共に、上端部は側面５２のビス孔５２ａから上部枠３のビス受け部３５にビス８Ｆをそれぞれねじ込んで固定し、下端部も側面のビス孔から下部枠４のビス受け部４５にビス８Ｆをそれぞれねじ込んで固定する。尚、両方の側部枠５において、前面５３の工具挿通用孔５３ａに略キャップ状の隠蔽材１８をそれぞれ嵌着して、ビス止めしたビス８Ｇが工具挿通用孔５３ａを通して外部から見えないようにする。前記のようにビス８Ｆが外部から外されたとしても、側部枠５は取付部５１が前記ビス８Ｇで外壁にビス止めされているため側部枠５を枠体１から外すことはできない。しかも、上記工具挿通用孔５３ａが略キャップ状の隠蔽材１８により隠蔽されているため防犯上好都合である。又、上部枠３及び下部枠４に付いては、前記隠蔽材１７が外されて上取付部３１及び下取付部４１のビス８Ｄが外部に露出し、これらのビス８Ｄが外部から外されたとしても下取付部３２及び上取付部４２のビス８Ｈはシャッタ本体２が邪魔になって外部から外せないため、上部枠３及び下部枠４を枠体１から外すことはできない。
【００５９】
本実施形態における通風・採光式シャッタは上記のように構成されており、前記シャッタ本体２を全閉して主ロック手段１５及び副ロック手段１６を共に施錠すると、図１３(ｂ)に示す状態となる。この全閉状態では、主開閉部２１は全ての板材６がほぼ直線状に並ぶと共に、その側端部同士が当接した状態になり、副開閉部２２は全ての板材６Ａが折り畳まれて相互に当接した状態になる。これにより、シャッタ本体２は、全面が完全に閉塞して風雨に対する遮蔽機能及び防犯機能を発揮することができる。前記板材６の一方の端部に設けられている断面略Ｃ字形のガスケット取付部６４に、例えば合成樹脂製又は合成ゴム製のガスケット（図略）を嵌着しておけば、互いに隣接する板材６の当接端部が密着してシール機能を発揮することができ、これにより風雨に対する遮蔽機能を向上させることができる。又、ガスケットは、板材６の端部同士が当接した時に発する衝突音を防ぐ音消し機能を発揮すると共に、弾性によって当接時の衝撃力を吸収若しくは緩和することから板材６の損傷を防ぐ保護機能をも発揮する。板材６及び板材６Ａは、前記のように内部に空間部を有する二重構造のため遮音性、断熱性に優れており、且つ内部にリブが存在するため従来の１枚ものに比して強度も著しく強くなっている。
【００６０】
シャッタ本体２を全閉すると、主開閉部２１の端部においては、図１３(ｂ)に示すように左端部の板材６の回動により略Ｌ字形端部６７が、上下の根留め金具１１から突出している前記係合棒１１４（図１１）に係合する。これにより、外部からバール等によりこじ開けようとしても、板材６と係合棒１１４との係合によって容易に開けることはできず、しかもその係合部は側部枠５内に位置しているため外部からは見えず、補助的なロック効果が得られる。又、外部から前記略キャップ状の遮蔽材１８を外して工具挿通用孔５３ａからドライバーを差し込んだとしても、板材６の略Ｌ字形端部６７により阻害されて側部枠５を外壁にビス止めしている前記ビス８Ｇまで届かない。これにより、側部枠５を枠体１から外すことはできず、侵入に対する防犯効果を高めることができる。
【００６１】
上記シャッタ本体２の主ロック手段１５の施錠状態を保持して、室内側から副ロック手段１６のみを前記操作によって解錠すると、副開閉部２２を一定幅の範囲内で開くことができ、この副開閉部２２に連結框１２を介して連結している主開閉部２１も従動してある程度開いて図１３(ａ)に示す状態となる。この時、主開閉部２１の端部においては、図１３(ａ)に示すように左端部の板材６が逆方向に回動して略Ｌ字形端部６７と係合棒１１４との係合が外れる。この半開き状態では、副開閉部２２は全ての板材６Ａが斜めの平行状態となって板材６Ａ間に隙間があき、主開閉部２１も同様に全ての板材６が斜めの平行状態となって板材６間に隙間があく。これにより、シャッタ本体２は主ロック手段１５を施錠状態のままでほぼ全面に渡って通風及び採光が可能となる。図１３(ａ)は副開閉部２２を最大限開いた状態を示しており、この状態では副開閉部２２の両端部を除く連結杆が相互に接触している。このため、副開閉部２２はそれ以上開くことはできない。副開閉部２２の開きが最大限より減少するに従って、副開閉部２２の板材６Ａ間の隙間は大きくなり、主開閉部２１の板材６間の隙間は小さくなる。このため、副開閉部２２の開きを最大限超えない範囲内で任意に設定すると、シャッタ本体２の全面に渡って隙間の総量を調節することができ、通風及び採光を所望とする度合いに適宜設定し且つ簡単に変更することができる。
【００６２】
又、図１３(ａ)の半開き状態から主ロック手段１５を解錠すると、シャッタ本体２を全開して図５に示すような折り畳んだ状態にすることができる。図１３(ｂ)に示す全閉施錠状態から主ロック手段１５のみを解錠するだけで、上記のようにシャッタ本体２を全開することも可能である。この時、副開閉部２２は副ロック手段１６により施錠されたままの状態で移動する。この全開状態では、主開閉部２１の板材６及び副開閉材２２の板材６Ａは全て折り畳まれた状態で枠体１の一方の側部枠５側に片寄せられる。これにより、開口部の開き幅を極力大きくできるため人や物の出入りが容易となる。
【００６３】
前記副開閉部２２を構成している板材６Ａは、厳密に言うと主開閉部２１を構成する板材６とは表面形状が異なっている。即ち、図１３(ａ)、(ｂ)に示すように、板材６Ａの両面は平滑面ではなくて複数の凹凸部が設けられており、シャッタ本体２を全閉して副開閉部２２が折り畳まれた状態では、隣接する板材６Ａ同士の凹凸部が互いに嵌合するようにしてある。これにより、外部から隣接する板材６Ａ間に薄い平板や細い棒等を差し込んで、前記副ロック手段１６のロックレバー１６１を持ち上げて外そうとしても、凹凸部の嵌合により薄い平板や細い棒等の侵入が阻止されて外せない。これにより、副ロック手段１６の防犯機能を高めることができる。又、複数の凹凸部を設けることで板材６Ａの強度を増大させることができる。
【００６４】
（第２実施形態）
図１４は、本発明に係る通風・採光式シャッタの第２実施形態を示すもので、副開閉部を追加した構成のものである。本実施形態においては、１つの副開閉部を追加したものであるが、それに限定されずに２以上の副開閉部を追加して実施することも可能である。尚、前記第１実施形態と同じ構成部材は同一符号を付してその詳しい説明は省略する。
【００６５】
図１４(ａ)はシャッタ本体を全開した状態を示す概略平面図であり、室内側から見て枠体の左端側に主開閉部２１と副開閉部２２とから成るシャッタ本体２が折り畳まれた状態で位置し、枠体の右端側には副開閉部２２と対向させて追加副開閉部２２Ｂが折り畳まれた状態で位置している。この追加副開閉部２２Ｂは、副開閉部２２と実質的に同一構成であるが連結杆の向きが逆になっており、端部には框１２Ｂ、１３Ｂがそれぞれ取り付けられ、一方の框１２Ｂは枠体の端部に取り付けられ、他方の框１３Ｂはシャッタ本体２の前記端部框１３に設けられた主ロック手段１５に係合するロック受け具（図示されず）が設けられている。これにより、シャッタ本体２の副開閉部２２と追加副開閉部２２Ｂとは、端部框１３、１３Ｂを介して着脱可能に構成されている。又、追加副開閉部２２Ｂは、副開閉部２２と同様に副ロック手段（図示されず）が設けられている。
【００６６】
図１４(ｄ)はシャッタ本体の全閉施錠状態を示す概略平面図であり、シャッタ本体２の副開閉部２２と追加副開閉部２２Ｂとは、いずれも折り畳んだ状態で上記主ロック手段とロック受け具を介して連結施錠され、且つ副開閉部２２及び追加副開閉部２２Ｂは共に副ロック手段により施錠されている。
【００６７】
図１４(ｃ)はシャッタ本体の主ロック手段の施錠状態を保持して、シャッタ本体２の副開閉部２２のみを開いた状態を示す概略平面図である。この場合、室内側から副開閉部２２の副ロック手段１６のみを解錠すると、副開閉部２２を一定幅の範囲内で開くことができ、この副開閉部２２に連結框１２を介して連結している主開閉部２１も従動してある程度開くことができる。これにより、シャッタ本体２は主ロック手段が施錠状態のままで、主開閉部２１及び副開閉部２２のほぼ全面に渡って通風及び採光が可能となる。
【００６８】
図１４(ｂ)はシャッタ本体の主ロック手段の施錠状態を保持して、シャッタ本体２の副開閉部２２及び追加副開閉部２２Ｂの双方を開いた状態を示す概略平面図である。この場合、室内側から副開閉部２２及び追加副開閉部２２Ｂの副ロック手段を双方解錠すると、副開閉部２２及び追加副開閉部２２Ｂを共に一定幅の範囲内で開くことができ、副開閉部２２に連結框１２を介して連結している主開閉部２１も従動してある程度開くことができる。又、図１４(ｃ)の状態から追加副開閉部２２Ｂの副ロック手段を解錠し、この追加副開閉部２２Ｂを開くことで図１４(ｂ)の状態にすることもできる。この図１４(ｂ)の開き状態では、図１４(ｃ)の開き状態に比して追加副開閉部２２Ｂの開きが加わり、且つ主開閉部２１の板材の開き間隔が大きくなるため、室内側に取り込む通風及び採光量が増大することになる。更に、図１４(ｂ)の状態から図１４(ｃ)の状態にし、又は図１４(ｃ)の状態から図１４(ｄ)の状態にし、或は図１４(ｂ)の状態から図１４(ｄ)の状態にする等の相互変更は簡単にできるため、季節や天候に応じて通風及び採光量を自在に調節することができる。
【００６９】
図１４(ａ)に示すシャッタ本体２の全開状態では、主ロック手段の解錠によりシャッタ本体２の副開閉部２２と追加副開閉部２２Ｂとの連結を外し、シャッタ本体２と追加副開閉部２２Ｂとを枠体の左右端部に振り分けて折り畳むことができる。これにより、全開時には枠体１の一端側に双方の副開閉部が集結することはなく、開口部の邪魔になるのを避けることができる。尚、シャッタ本体２と追加副開閉部２２Ｂとは、左右逆の位置に構成して実施することも可能である。
【００７０】
（第３実施形態）
上記実施形態では、いずれもシャッタ本体２が片開きであったが、両開きで実施することも可能である。図１５は、シャッタ本体が両開きの実施形態を示す概略平面図である。図１５において、室内側から見て左側のシャッタ本体２は前記シャッタ本体２と同じ構成のものであり、右側のシャッタ本体２Ａはシャッタ本体２と左右対称の構成のものである。この場合、シャッタ本体２Ａの端部框１３Ａには、主ロック手段１５が設けられておらず、シャッタ本体２の端部框１３に設けられている主ロック手段１５に係合するロック受け具４０が設けられている点で構成上相違している。これにより、左右のシャッタ本体２、２Ａを全閉すると、端部框１３、１３Ａ同士が当接し端部框１３の主ロック手段１５を端部框１３Ａのロック受け具４０に係止することで施錠できる構成にしてある。尚、端部框１３、１３Ａが前記枠体１の中央部で当接すると、サッシュに取り付けられているガラス戸の側枠が邪魔して室内側から主ロック手段１５の施錠がし難くなるため、左右のシャッタ本体２、２Ａにおける主開閉部２１、２１Ａの板材枚数を変えることで、端部框１３、１３Ａの当接位置を枠体１の中央部から左右いずれかの方向へ少しずらすようにすると好ましい。サッシュに取り付けられているガラス戸が３枚又は４枚の場合には、そのような配慮は不要である。
【００７１】
図１６(ｄ)はシャッタ本体の全閉施錠状態を示す概略平面図であり、シャッタ本体２の副開閉部２２とシャッタ本体２Ａの副開閉部２２Ａとは、いずれも折り畳んだ状態で上記主ロック手段１５とロック受け具４０を介して施錠され、且つ副開閉部２２、２２Ａは共に副ロック手段により施錠される。
【００７２】
図１６(ｃ)はシャッタ本体の主ロック手段１５の施錠状態を保持して、シャッタ本体２の副開閉部２２及びシャッタ本体２Ａの副開閉部２２Ａの双方を開いた状態を示す概略平面図である。この場合、室内側から副開閉部２２の副ロック手段１６及び副開閉部２２Ａの副ロック手段１６Ａを双方解錠すると、副開閉部２２及び副開閉部２２Ａを一定の範囲内で双方開くことができると共に、主開閉部２１及び主開閉部２１ａを半開きすることができる。これにより、主ロック手段１５は施錠状態のままシャッタ本体２及びシャッタ本体２Ａの双方を半開きにして通風及び採光が可能となる。この時も、副開閉部２２及び副開閉部２２Ａは双方とも最大限以上に開くことはできず、又副開閉部２２及び副開閉部２２Ａの開きを最大限を超えない範囲内でそれぞれ任意に設定することにより隙間の総量を簡単に調節することができ、通風及び採光を所望とする度合いに設定し且つ容易に変更することができる。
【００７３】
図１６(ｂ)は図１６(ｃ)の状態から主ロック手段１５の施錠状態を保持したまま左右いずれの方向（図示の例では左方向）に移動させた状態を示す概略平面図である。この移動により、シャッタ本体２Ａの主開閉部２１Ａは閉じると共に、シャッタ本体２の主開閉部２１は板材間の開き間隔が大きくなり、副開閉部２２、２２Ａは開いた状態が保持される。
この場合は、主としてシャッタ本体２側から通風・採光を行うことができ、従としてシャッタ本体２Ａの副開閉部２２ａから通風・採光を行うことになる。
【００７４】
図１６(ａ)は図１６(ｂ)の状態から主ロック手段１５の施錠状態を保持したままシャッタ本体２の副開閉部２２を閉じた状態を示す概略平面図である。この副開閉部２２を閉じることによってシャッタ本体２の主開閉部２１は板材間の開き間隔が小さくなり、副開閉部２２Ａは開いた状態が保持される。この場合は、図１６(ｂ)に比して通風・採光量を減少させることができる。
【００７５】
尚、図示は省略したが、図１６(ｄ)の状態からいずれか一方の副開閉部を開くことも可能である。例えば、主ロック手段１５の施錠状態を保持したまま室内側から副開閉部２２の副ロック手段１６のみを解錠すると、副開閉部２２を一定の範囲内で左方向に開くことができ、この副開閉部２２に連結框１２を介して連結している主開閉部２１も従動して半開き状態になる。この時、シャッタ本体２Ａは全閉状態のままである。これにより、シャッタ本体２側の領域のみを半開きにして通風及び採光が可能となる。前記と同様に副開閉部２２は最大限以上に開くことはできず、又副開閉部２２の開きを最大限を超えない範囲内で任意に設定することにより隙間の総量を調節することができ、通風及び採光を所望とする度合いに設定し且つ簡単に変更することができる。
【００７６】
上記とは逆に、主ロック手段１５の施錠状態を保持して、室内側からシャッタ本体２Ａの副ロック手段１６Ａのみを解錠すると、副開閉部２２Ａを一定の範囲内で右方向に開くことができ、この副開閉部２２Ａに連結框１２Ａを介して連結している主開閉部２１Ａも従動して半開き状態になる。この時、シャッタ本体２は全閉状態のままである。これにより、シャッタ本体２Ａ側の領域のみを半開きにして通風及び採光が可能となる。この場合も、副開閉部２２Ａは最大限以上に開くことはできず、又副開閉部２２Ａの開きを最大限超えない範囲内で任意に設定することにより隙間の総量を調節することができ、通風及び採光を所望とする度合いに設定し且つ簡単に変更することができる。
【００７７】
一方、シャッタ本体の全閉状態又は半開き状態（上記種々の半開き状態を含む）から主ロック手段１５を解錠すれば、シャッタ本体２及び２Ａの双方を全開することができ、図１５のように室内側から見て枠体の左端部にシャッタ本体２を折り畳んだ状態で片寄せると共に、右端部にシャッタ本体２Ａを折り畳んだ状態で片寄せることにより両開きすることができる。尚、上記種々の半開き状態は任意に選択することができ、その相互変更も簡単に行える。
【００７８】
（第４実施形態）
次に、オプションとして下地枠体を使用する実施形態について説明する。建物の開口部に取り付けられているサッシュ又はサッシュに装備されている網戸が外壁面より外方に突出している場合がある。このような場合には、前記枠体１を外壁面に直付けすると、例えば前記シャッタ本体２がサッシュ又は網戸に接触して開閉できず、或いは開閉に支障を来たすことがある。本実施形態は、このような場合に建物の外壁に下地枠体を取り付け、この下地枠体に対して前記枠体１を取り付けることにより、シャッタ本体２とサッシュ又は網戸との間に充分な空間を保持して接触を防止できるようにしたものである。下地枠体としては、従来例えば木材からなる角材を利用する技術が知られているが、アルミニウム材からなる枠体１とは材質が異なるため外観や体裁を損なう問題がある。
【００７９】
上記のような従来技術の問題を解決するためになされたのが本実施形態であり、その構成の一部を図１７に示す。図１７(ａ)において、１９は下地枠体１Ａの上部枠であり、前記上部枠３と同じくアルミニウム材で押し出し成形により一体に形成され、複数のビス８Ｈにより外壁に固定する。下地枠材１Ａの下部枠は図示されていないが、上部枠１９を上下逆に配置することで兼用することができ、同じく複数のビス８Ｈにより外壁に固定する。
【００８０】
下地枠体１Ａの側部枠２０は、図１７(ｂ)に示すような平面形状を有し、前記側部枠５と同じくアルミニウム材で押し出し成形により一体に形成され、前面側となる角隅部には前方へ突出する張出片２０１が高さ方向に沿って設けられ、前面２０２の内側にはビス受部２０３が所定の間隔をあけて複数個設けられる。この側部枠２０は、図示は省略したが後面２０４が複数のビスにより外壁に固定され、側面２０５の上端部がビスを上部枠１９のビス受け部１９１にねじ込むことで固定され、下端部も同じくビスを下部枠のビス受け部にねじ込むことで固定される。
【００８１】
このようにして、上部枠１９と下部枠と側部枠２０とによって構成される下地枠体１Ａを建物の外壁面に取り付ける。尚、上部枠１９と下部枠と側部枠２０は、いずれも上記構造のものに限定されない。下地枠体１Ａの取付後に、この下地枠体１Ａに対して前記枠体１を取り付ける。図１７(ａ)は下地枠体１Ａの上部枠１９に枠体１の上部枠３を取り付けた状態を示しており、上部枠３の上取付部３１及び下取付部３２を前記複数のビス８Ｄ、８Ｈでそれぞれ上部枠１９の前面に固定する。図示はされていないが、枠体１の下部枠４も同様に複数のビス８Ｄ、８Ｈで下地枠体１Ａの下部枠の前面に固定する。
【００８２】
下地枠体１Ａの側部枠２０に枠体１の側部枠５を取り付ける際に、図１７(ｂ)に示すように前記張出片２０１と、側部枠５の後面の角隅部に設けられている前記段部５４とが嵌合し、側部枠５の側面５２と側部枠２０の側面２０５とが同一面内に位置するように容易に位置決めできるようにしてある。そして、側部枠５の取付部５１のビス孔５１ａ及び前面５３の工具挿通用孔５３ａを利用してビス８Ｇを、側部枠２０のビス受け部２０３にねじ込むことで、枠体１の側部枠５を下地枠体１Ａの側部枠２０に取り付ける。枠体１の組み付け方法は、前記と同じであるためここでの説明は省略する。
【００８３】
このようにして、下地枠材１Ａを介して枠体１を取り付けることにより図１７(ａ)のようにシャッタ本体２と網戸３０との間に充分な間隔Ｓを保持することができる。このため、シャッタ本体２と網戸３０とが接触せず、シャッタ本体２の開閉が円滑に行えると共に、網戸３０の開閉も何ら支障を来たさない。
【産業上の利用可能性】
【００８４】
本発明に係る通風・採光式シャッタは、特に戸建て住宅やマンション等の集合住宅の雨戸として好適に使用することができる。その他、例えばビルディング、商店、工場、倉庫、車庫等の出入口のシャッタとして広く利用することが可能である。
【図面の簡単な説明】
【００８５】
【図１】本発明に係る通風・採光式シャッタの第１実施形態を示す概略縦断側面図である。
【図２】本発明に係る通風・採光式シャッタにおける枠体の上部枠を示すもので、(ａ)は室外側から見た一部の正面図、(ｂ)はその側面図である。
【図３】本発明に係る通風・採光式シャッタにおける枠体の下部枠を示す側面図である。
【図４】本発明に係る通風・採光式シャッタにおける枠体の側部枠を示すもので、(ａ)は上端部の正面図、(ｂ)はその平面図、(ｃ)は上端部の切り欠き部分を説明するための概略斜視図である。
【図５】本発明に係る通風・採光式シャッタにおけるシャッタ本体の構成を説明するための概略平面図である。
【図６】本発明に係る通風・採光式シャッタにおけるシャッタ本体の板材を示す平面図及び部分拡大図である。
【図７】本発明に係る通風・採光式シャッタにおけるシャッタ本体の連結杆を示すもので、(ａ)は長連結杆の平面図及び側面図、(ｂ)は短連結杆の平面図及び側面図である。
【図８】本発明に係る通風・採光式シャッタにおける連結杆の取付状態を示す一部の概略縦断面図である。
【図９】本発明に係る通風・採光式シャッタにおける上部回転部材の取付状態を示す一部の概略縦断面図である。
【図１０】本発明に係る通風・採光式シャッタにおける下部回転部材の取付状態を示す一部の概略縦断面図である。
【図１１】本発明に係る通風・採光式シャッタの取付要領を示す説明図であり、部分拡大側面図及び一部拡大斜視図を含む。
【図１２】本発明に係る通風・採光式シャッタにおける主ロック手段及び副ロック手段を示すもので、(ａ)は室内側から見た概略斜視図、(ｂ)は室内側から見た概略正面図である。
【図１３】本発明に係る通風・採光式シャッタにおけるシャッタ本体の開閉状態を示すもので、(ａ)は主ロック手段を施錠したまま通風・採光のために半開きにした状態での概略平面図、(ｂ)はシャッタ本体を全閉して主ロック手段及び副ロック手段を共に施錠した状態での概略平面図である。
【図１４】本発明に係る通風・採光式シャッタの第２実施形態を示すもので、(ａ)はシャッタ本体を全開した状態での概略平面図、(ｂ)はシャッタ本体の主ロック手段の施錠状態を保持して、副開閉部及び追加副開閉部の双方を開いた状態での概略平面図、(ｃ)はシャッタ本体の主ロック手段の施錠状態を保持して、副開閉部のみを開いた状態での概略平面図、(ｄ)はシャッタ本体の全閉施錠状態での概略平面図である。
【図１５】本発明に係る通風・採光式シャッタの第３実施形態を示すもので、シャッタ本体の全開状態での一部を省略した概略平面図である。
【図１６】第３実施形態において、(ａ)は(ｂ)の状態から主ロック手段の施錠状態を保持したまま左側シャッタ本体の副開閉部を閉じた状態での概略平面図、(ｂ)は(ｃ)の状態から主ロック手段の施錠状態を保持したまま左方向に移動させた状態での概略平面図、(ｃ)はシャッタ本体の主ロック手段の施錠状態を保持して、左側シャッタ本体の副開閉部及び右側シャッタ本体の副開閉部の双方を開いた状態での概略平面図、(ｄ)はシャッタ本体の全閉施錠状態での概略平面図である。
【図１７】本発明に係る通風・採光式シャッタの第４実施形態を示すもので、(ａ)はその一部の概略縦断側面図、(ｂ)は下地枠体の側部枠に対して枠体の側部枠を取り付ける要領を示す説明図である。
【符号の説明】
【００８６】
１  枠体
１Ａ  下地枠体
２  シャッタ本体
２１  主開閉部
２２  副開閉部
２２Ｂ  追加副開閉部
３  上部枠
３１  上取付部
３２  下取付部
３３  スリット
３４  ガイドレール
４  下部枠
４１  下取付部
４２  上取付部
５  側部枠
５１  取付部
５３ａ  工具挿通用孔
６、６Ａ  板材
６１  リブ
６２  空間部
７、７Ａ  連結杆
８  ビス
９、９Ａ、９Ｂ  スリーブ
１０  上部回転部材
１０１  支持材
１０２  水平軸
１０３  ベアリングローラ
１１  根留め金具
１２  連結框
１３  端部框
１４  下部回転部材
１４１  垂直軸
１４２  ローラ
１５  主ロック手段
１６  副ロック手段
１７、１８  隠蔽材
３０  網戸
４０  ロック受け具
【図１】
2007039979.tif 000003
【図２】
2007039979.tif 000004
【図３】
2007039979.tif 000005
【図４】
2007039979.tif 000006
【図５】
2007039979.tif 000007
【図６】
2007039979.tif 000008
【図７】
2007039979.tif 000009
【図８】
2007039979.tif 000010
【図９】
2007039979.tif 000011
【図１０】
2007039979.tif 000012
【図１１】
2007039979.tif 000013
【図１２】
2007039979.tif 000014
【図１３】
2007039979.tif 000015
【図１４】
2007039979.tif 000016
【図１５】
2007039979.tif 000017
【図１６】
2007039979.tif 000018
【図１７】
2007039979.tif 000019